(57)【要約】      （修正有）【課題】温度を上昇させるためのエネルギーも少なくて済み、さらに、内側容器とヒーターとの間に熱伝導率の良いアルミ板を挟むことにより、ヒーターからの熱を効率的に、かつ、均一に内側容器底部に伝えることができる湯煎式フードウォーマーを提供する。【解決手段】外側容器と内側容器３０との間に液体４０を介在させて、液体４０をヒーター５０の加熱手段で加温することにより、内側容器３０中の料理等を保温するための湯煎式フードウォーマー１０であって、内側容器３０と外側容器との間の外側容器側に、断熱材６０を設置したことを特徴とする。【選択図】図１
0003195027.tif 000002
【実用新案登録請求の範囲】
【請求項１】
外側容器と内側容器との間に液体を介在させて、前記液体をヒーター等の加熱手段で加温することにより、前記内側容器中の料理等を保温するための湯煎式フードウォーマーであって、前記内側容器と前記外側容器との間の外側容器側に、断熱材を設置したことを特徴とする湯煎式フードウォーマー。
【請求項２】
前記内側容器の底部と前記外側容器との間の前記外部容器側に、ヒーター等の加熱手段を設置し、さらに、前記加熱手段の上にアルミ板を設置したことを特徴とする請求項１に記載した湯煎式フードウォーマー。
【考案の詳細な説明】
【技術分野】
【０００１】  本考案は、料理毎に適した温度での保温が可能な湯煎式フードウォーマーに関する。さらに言えば、断熱材で容器の周囲を覆うことにより、熱が逃げ難いため、効率的に保温することのできる湯煎式フードウォーマーに関する。
【背景技術】
【０００２】  ホテルのバイキング等で料理やスープ等を保温するために、加熱器や保温器が使用されていた。加熱器や保温器は、直接ヒーター等で容器を加熱するため、加熱部分に接する箇所が他に比べ温度が高くなり、加熱対象に求められる温度に対して、より高温となる箇所ができ、料理等の加熱状態にムラが生じてしまい、料理等の品質に関する問題があった。【０００３】  そこで、お湯の上に容器を浮かべ容器全体を均一に温める構造を有する湯煎式フードウォーマーが考案された。湯煎式フードウォーマーは、３０℃〜９０℃の温度設定で、料理に合わせた保温が可能である。お湯の上に容器を浮かべ、容器全体を均一に温める構造となっており、ヒーターからの熱が局所的に伝わることなく、容器全体に伝わり、均一保温性があるため、容器内の料理等が焦げ付く心配がない。【０００４】  湯煎式フードウォーマーの従来技術として、「加熱手段と加熱対象との間に、液体の対流を介して加熱、保温を行うことにより、加熱手段と接する部分のみ高温となることを防ぐ。湯煎における水に加え、他の液体（油脂など必要とする温度により使用する液体は選択する）を使用することにより必要とするさまざまな温度での均一な加熱、保温をおこなうことができる湯煎式フードウォーマー（特許文献１：段落０００４から抜粋）」が提案されている。
【先行技術文献】
【特許文献】
【０００５】
【特許文献１】  特開２０１３−０００５４２
【考案の概要】
【考案が解決しようとする課題】
【０００６】  特許文献１に係る湯煎式フードウォーマーは、加熱手段と加熱対象との間に、液体の対流を介して加熱、保温を行うのみであるので、加熱手段（ヒーター等）によって、温められた料理等の熱がフードウォーマーの外部に逃げてしまい、その分、室温から設定温度まで、温度を上昇させるためのエネルギー、設定温度での保温のために余分なエネルギーが必要であった。しかも、何も介在させること無く、ヒーターから直接容器の底部に熱が伝わるので、容器の底部に対して、均一に熱を伝えることができなかった。【０００７】  本考案の目的は、断熱材で容器の周囲（具体的には外側容器の内側）を覆うことにより、ヒーター等の加熱手段によって温められた熱が、容器から逃げ難いため、室温から設定温度まで、温度を上昇させるためのエネルギーも少なくて済み、しかも、少ないエネルギーで設定温度にて保温することもでき、さらに、内側容器とヒーターとの間に熱伝導率の良いアルミ板を挟むことにより、ヒーターからの熱を効率的に、かつ、均一に内側容器底部に伝えることができる湯煎式フードウォーマーを提供することにある。
【課題を解決するための手段】
【０００８】  上記課題を解決するために、請求項１に記載した考案は、外側容器と内側容器との間に液体を介在させて、前記液体をヒーター等の加熱手段で加温することにより、前記内側容器中の料理等を保温するための湯煎式フードウォーマーであって、前記内側容器と前記外側容器との間の外側容器側に、断熱材を設置した湯煎式フードウォーマーであることを特徴とするものである。【０００９】  請求項２に記載した考案は、請求項１に記載した考案において、前記内側容器の底部と前記外側容器との間の前記外部容器側に、ヒーター等の加熱手段を設置し、さらに、前記加熱手段の上にアルミ板を設置した湯煎式フードウォーマーであることを特徴とするものである。
【考案の効果】
【００１０】  本願に係る考案によれば、断熱材で周囲（具体的には外側容器の内側）を覆うことにより、容器から熱が逃げ難いため、室温から設定温度まで、温度を上昇させるためのエネルギーも少なくて済み、しかも、より少ないエネルギーで、設定温度にて保温することもでき、さらに、内側容器とヒーターとの間に熱伝導率の良いアルミ板を挟むことにより、ヒーターからの熱を効率的に、かつ、均一に内側容器底部に伝えることができるようになった。
【図面の簡単な説明】
【００１１】
【図１】湯煎式フードウォーマーの構造を説明するための断面図である。
【図２】本考案に係る湯煎式フードウォーマーの全体斜視図である。
【考案を実施するための形態】
【００１２】＜湯煎式フードウォーマーの構造、及び使用状態＞
以下、本考案に係る湯煎式フードウォーマー１０について、図１〜図２を参照しつつ詳細に説明する。図１は、湯煎式フードウォーマー１０の構造を説明するための断面図である。本考案に係る湯煎式フードウォーマー１０は、外側容器２０と内側容器３０との間の外側容器２０側に、断熱材６０が設置されている。さらに、内側容器３０の底部と外側容器２０との間の外部容器２０側にヒーター５０を設置し、ヒーター５０の上にアルミ板７０が設置されている。
【００１３】  図２は、本考案に係る湯煎式フードウォーマー１０の全体斜視図である。具体的に、湯煎式フードウォーマー１０の使用状態を説明する。湯煎式フードウォーマー１０に必要な電源は、電源コードから取り入れる（１００Ｖ  ９００Ｗ）。そして、内側容器３０に料理やスープ等を入れ、ダイヤル式のつまみにて、料理等を保温するのに最も適した温度に、温度設定する。室温から設定温度まで、温度を上昇させ、設定温度で料理などを保温する。
【００１４】＜湯煎式フードウォーマーの効果（実施例）＞
本考案に係る湯煎式フードウォーマー１０によれば、断熱材６０で周囲（具体的には外側容器２０の内側）を覆うことにより、熱が逃げ難いため、室温から設定温度まで、温度を上昇させるためのエネルギーも少なくて済み、しかも、より少ないエネルギーで設定温度にて保温することもでき、さらに、内側容器３０とヒーター５０との間に熱伝導率の良いアルミ７０板を挟むことにより、ヒーター５０の熱を効率的に、かつ、均一に内側容器３０の底部に伝えることができるようになった。
【００１５】  実際に、本考案に係る湯煎式フードウォーマー１０の効果を調査するために、内側容器３０内部の水が２０℃から９０℃に達するまでの時間を測定したところ、断熱材を設置していない従来品に比べ、本考案に係る湯煎式フードウォーマー１０では、２０％程度の時間の短縮を図ることができた。さらに、９０℃にて保温するのに必要な電力についても２０％程度削減することができることが解った。
【００１６】＜湯煎式フードウォーマーの変更例＞
本考案に係る湯煎式フードウォーマー１０の構成は、上記実施形態の態様に何ら限定されるものではなく、外側容器２０、内側容器３０、液体４０、ヒーター５０、断熱材６０、アルミ板７０等の構成を、本発明の趣旨を逸脱しない範囲で、必要に応じて適宜変更することができる。
【産業上の利用可能性】
【００１７】  本考案に係る湯煎式フードウォーマーは、上記の如く優れた効果を奏するものであるので、ホテルのバイキング等で料理やスープ等を保温するための、湯煎式フードウォーマーとして好適に用いることができる。
【符号の説明】
【００１８】１０・・湯煎式フードウォーマー
２０・・外側容器
３０・・内側容器
４０・・液体（主にお湯）
５０・・ヒーター
６０・・断熱材
７０・・アルミ板
【図１】
0003195027.tif 000003
【図２】
0003195027.tif 000004